(57)【要約】変換を容易にするために、任意のレベルの伸縮性を有する不織布において、主としてマシン方向における一時的な非伸縮特性を得るための方法が開示される。この非伸縮特性は、その後、不織布の元の特性を回復するために除去されることが可能である。本技術は、変換用装置による、伸縮性不織布を備える最終製品の形成を可能とする。【選択図】図１
2014524988.tif 000002
【特許請求の範囲】
【請求項１】
伸縮性不織布の伸縮性を一時的に抑制するための方法であって、
（ａ）前記不織布の伸縮性を抑制するために、前記伸縮性不織布に非伸縮特性を提供することと、
（ｂ）次いで、前記不織布が先に獲得した非伸縮特性を除去することと、
を含む方法。
【請求項２】
前記伸縮性不織布の前記伸縮性の抑制が、少なくともマシン方向において、前記伸縮性不織布内に非伸縮性要素を作製することを含む、請求項１に記載の方法。
【請求項３】
前記伸縮性不織布の前記伸縮性の抑制が、少なくともマシン方向において、非伸縮性要素を前記伸縮性不織布と関連付けることを含む、請求項１に記載の方法。
【請求項４】
前記非伸縮性要素が、任意の適切な材料の長繊維、糸、またはメッシュのうちの１つを含む、請求項３に記載の方法。
【請求項５】
前記非伸縮特性の除去が、前記非伸縮性要素の連続性を除去することを含む、請求項３に記載の方法。
【請求項６】
前記非伸縮性要素の前記連続性の除去が、変換工程の間または後に、前記非伸縮性要素を遮断すること、切断すること、または融解させることを含む、請求項５に記載の方法。
【請求項７】
不織布の伸縮性を変更、限定、または抑制するための装置であって、前記装置は、マシン方向において、非弾性または非伸縮性の要素を前記不織布の層の内側に組み込むことによって、または前記非伸縮性の要素を前記伸縮性不織布内に縫い付けることによって、前記非弾性または非伸縮性の要素を前記不織布に関連付ける、装置。
【請求項８】
前記装置が、前記不織布を作製する装置と関連付けられる、請求項７に記載の装置。
【請求項９】
不織布の一時的な非伸縮特性を除去する装置であって、前記装置は、先に前記不織布内部、または不織布上に作製され、組み込まれ、または縫い付けられた非伸縮性要素の連続性を破壊する、装置。
【請求項１０】
前記非伸縮性要素が、長繊維、糸、またはメッシュを含む、請求項９に記載の装置。
【請求項１１】
前記非伸縮性要素の連続性の前記破壊は、変換用装置における加工の間に実行され、前記破壊は、穿孔機、ウォータージェット、電磁放射、化学反応、または融解のうちの１つを用いて実施される、請求項９に記載の装置。
【請求項１２】
前記装置が、前記変換用装置と関連付けられる、請求項１１に記載の装置。
【請求項１３】
伸縮性不織布であって、非伸縮性要素を備え、前記非伸縮性要素は、繊維の融解または接着あるいは熱接着により、繊維の高密度領域を形成することによって、前記不織布に処置を施すことによって作製される、伸縮性不織布。
【請求項１４】
前記非伸縮性要素が、長繊維、糸、またはメッシュを含む、請求項１３に記載の伸縮性不織布。
【請求項１５】
前記非伸縮性要素と前記伸縮性不織布の間の摩擦が、切断後に前記非伸縮性要素が前記不織布内部で自由に移動することを可能とし、前記不織布の元の弾性が回復する、請求項１３に記載の伸縮性不織布。
【請求項１６】
切断、破壊、または融解されした非伸縮性要素が前記不織布内に残る、請求項１３に記載の伸縮性不織布。
【請求項１７】
伸縮性の不織布であって、前記伸縮性不織布の伸縮性が抑制または限定されるように、非伸縮性要素が、前記不織布内部または不織布上に、マシン方向において組み込まれ、または縫い付けられる、伸縮性不織布。
【請求項１８】
前記非伸縮性要素が、長繊維、糸、またはメッシュを含む、請求項１７に記載の伸縮性不織布。
【請求項１９】
前記非伸縮性要素と前記伸縮性不織布の間の摩擦が、切断後に前記非伸縮性要素が前記不織布内部で自由に移動することを可能とし、前記不織布の元の弾性が回復する、請求項１７に記載の伸縮性不織布。
【請求項２０】
切断され、破壊され、または融解した非伸縮性要素が前記不織布内に残る、請求項１７に記載の伸縮性不織布。
【発明の詳細な説明】
【技術分野】
【０００１】
伸縮性のエラストマー不織布は、当該技術分野に公知である。伸縮性不織布材料の一例は、２００８年１１月２７日に公開された米国特許出願公開第２００８／０２９２７８８号に記載されている。
【背景技術】
【０００２】
また、米国特許出願公開第２００８／０２９２７８８号は、不織布産業において一般的に用いられるような、ベルトコンベア装置上で伸縮性の布を製造するための方法、および、変換用装置上で、更に加工し変形させるために、当該素材のシートを原反から製造するための方法を説明している。
【発明の概要】
【発明が解決しようとする課題】
【０００３】
この産業における既知の問題点は、変換用装置における加工中に、マシン方向（ｍａｃｈｉｎｅ  ｄｉｒｅｃｔｉｏｎ）（ＭＤ）においてロール状素材に印加される張力が、素材の過剰な伸び、歪み、または断裂を生じさせうるという、変換用装置上での原反の製造工程に関連する。不織布材料に伸縮性がある場合、この問題はより悪化する。本願は、この問題点を解決するための手法を開示する。
【課題を解決するための手段】
【０００４】
本願は、一時的に非伸縮性となる能力、または一時的に伸縮性に制限を有する能力を備える不織布を開示する。この能力は、ある程度の弾性、伸縮性、および／または弾力を有する任意の不織布において実現可能である。
【０００５】
本開示において、弾性材料、伸縮性材料、または弾力のある材料という用語は、互いに置換可能である。
【０００６】
不織布は、米国特許出願公開第２００８／０２９２７８８号において開示された方法を含む任意の方法によって製造されうるが、これに限定されることはない。
【０００７】
本願は、製品、製造方法、および関連する装置を開示する。
【０００８】
概して、本開示は、変換を容易にするために、任意のレベルの伸縮性を有する不織布において、主としてマシン方向における一時的な非伸縮特性を得ることに関する。この非伸縮特性は、不織布の元の特性を取り戻すために、その後除去することが可能である。本技術は、変換用装置による、伸縮性の不織布を備える最終製品の形成を可能とする。
【０００９】
さらに明確にするために、既存の材料がある程度まで伸縮可能である一方で、本開示において用いられる「非伸縮性」との用語は、非伸縮性であると考えられる材料、または数パーセントのみ伸縮可能な材料に関する。
【図面の簡単な説明】
【００１０】
【図１】非伸縮性要素と関連付けられた不織布シートを示す図である。
【図２】非伸縮性要素の連続性を破壊した後の図１の不織布シートを示す図である。
【図３】引き伸ばされた後の不織布シートを示す図である。
【発明を実施するための形態】
【００１１】
本開示は、変換用装置におけるロール状の不織布の稼働を促進するための、任意の不織布の伸縮性の変更または変換に関する。この伸縮性の変更は、変換工程における材料の変形も防止する。
【００１２】
材料の伸縮性を変更する本方法は、少なくとも２つのステップを含む。第１に、不織布の伸縮性が一時的に抑制される。第２に、不織布シートの非伸縮特性が除去され、伸縮性が回復される。
【００１３】
本方法は、様々な実施形態によって実施されうる。いくつかの代表的な実施形態を以下に示す。
【００１４】
図１を参照すると、伸縮性の不織布シートまたは不織布１は、非伸縮性要素２と関連付けられる。この非伸縮性要素２を作製するために、糸または長繊維などの相対的に非伸縮性の構成材を不織布１に取り付ける、または組み込むことにより、不織布シート１の伸縮性は、一時的に抑制される。
【００１５】
この糸または長繊維は、少なくともマシン方向（ロールの向きに対して長手方向）に非伸縮性を与えるように、不織布１に関連付けられる。
【００１６】
非伸縮性要素２は、金属、綿、ビスコース、紙、ポリエステル、ポリエチレン、ポリプロピレン、任意のポリマー、または、ロール状シートの伸縮性と比べて相対的に非伸縮性の他の適切な材料など、任意の適した材料から作製されることが可能であり、また、これらに限定されるということもない。
【００１７】
非伸縮性要素２は、任意の適切な方法によって作製されることが可能であり、または、例えば伸縮性不織布の製造中または製造後に非伸縮性の構成材を伸縮性不織布に縫い付けることによって、挿入されることが可能である。
【００１８】
別の実施形態においては、この非伸縮性要素２は、不織布材料に処置を施すこと、例えば、繊維の融解もしくは接着、熱接着、または任意の他の適切な方法によって、繊維の高密度領域を形成することによって作製される。あるいは、非伸縮性要素２は、製造工程中に、糸または長繊維などの非伸縮性の構成材を伸縮性不織布１へと組み込むことによって作製されうる。この非伸縮性の構成材は、伸縮性不織布の内側、伸縮性不織布を形成している層の間、または伸縮性不織布を形成しているエラストマー材料の層の間に設置されうる。この非伸縮性の構成材は、変換工程における円滑で均一な稼働を可能とするために、少なくともマシン方向において、伸縮性材料と関連付けられる。
【００１９】
さらに別の実施形態においては、この非伸縮性要素２は、液状エラストマー材料層の塗布の間に、または層塗布工程の間に、不織布１と関連付けられうる。エラストマー材料液の層は、壁、金型、被加工物の形成器、コンベアベルト、またはコンベアに連結された被加工物形成器に塗布されうる。液状エラストマー材料の塗布は、その液状エラストマー材料層が硬化するときには既に非伸縮性要素２が不織布１に組み込まれているように、スプレーによる噴霧、ブラッシング、ラミネート加工、または任意の他の適切な方法によって行われることが可能である。
【００２０】
合成ゴムまたは天然ゴムのような液状エラストマー材料に基づく不織布の場合、この非伸縮性要素２は、液状エラストマー材料の硬化の後、および伸縮性不織布の圧延の前に、伸縮性不織布１と関連付けられうる。
【００２１】
さらに別の実施形態においては、この非伸縮性要素２は、非伸縮性要素２と伸縮性不織布１を付着させ共圧延することによって伸縮性不織布に関連付けられたシートまたはメッシュでもよい。このシートまたはメッシュは、金属、綿、ビスコース、紙、ポリエステル、ポリエチレン、ポリプロピレン、任意のポリマー、または他の適切な材料などの任意の適切な非伸縮性材料から作製されることが可能であり、これらに限定されることもない。この非伸縮性のシートまたはメッシュの伸縮性不織布シートへの関連付けは、伸縮性不織布シートが変換工程の中で引き伸ばされることを非伸縮性シートまたはメッシュが防止し、円滑で支障のない変換を可能とするように、伸縮性不織布１の製造工程において、または伸縮性不織布の製造工程の後に実行されることが可能である。
【００２２】
本願の方法は、第１のステップの間に伸縮性不織布が獲得した非伸縮特性の除去または撤去をさらに含むため、不織布１の元の弾力が回復し、再取得される。
【００２３】
一実施形態において、非伸縮特性は、変換用装置における加工中に、糸、長繊維またはメッシュなどの非伸縮性要素２を形成する構成材の連続性を破壊することによって除去される。非伸縮性要素（糸、長繊維、またはメッシュ）の連続性の破壊は、所望のピッチで非伸縮性要素を切断することによって、変換用装置上で実施されることが可能である。このピッチは、典型的には、数ミリメートル未満から数センチメートル以上の間で変化しうる。切断は、穿孔機、ウォータージェット、レーザーもしくは他の電磁放射、化学反応、融解、または当業界において公知の任意の他の適切な手段などの任意の手段またはデバイスによって実施されうるものであり、またこれに限定されるものでもない。
【００２４】
非伸縮性構成材（糸、繊維、またはメッシュ）の連続性の破壊の後、この非伸縮性構成材は、破壊のピッチに応じた小断片３（図２に図示）の形で現れる。
【００２５】
図２は、非伸縮性要素の連続性の破壊の後の不織布シート１を示しており、残存する短い非伸縮性要素３、および、破壊が生じた箇所に形成される、残存する非伸縮性要素間の小さな隙間４を示す。別の実施形態においては、非伸縮性のシートまたはメッシュは、変換工程において伸縮性不織布１から非伸縮性シートを分離することによって伸縮性シートから取り除かれる。この非伸縮性シートまたはメッシュは、巻き取られ、再利用されうる。
【００２６】
図３は、引き伸ばされた不織布シート５を示す。残存する非伸縮性要素３が不織布中に存在する一方で、不織布が引き伸ばされた結果、残存する非伸縮性要素３の間の隙間６が、小さな隙間４よりも広くなる。
【００２７】
伸縮性不織布の非伸縮特性の除去により、糸または長繊維は依然として伸縮性不織布１と接続されているか、または組み込まれているが、これらは小断片３へと切断されており、このため不織布の伸縮性を抑制することはできない。不織布は以前の伸縮性及び弾力を取り戻しており、これにより、変換用装置上での円滑で支障のない伸縮性の最終製品の製造が可能となる。
【００２８】
非伸縮性要素の材料を、伸縮性不織布の繊維を形成する材料に対する付着性が低いことが好ましい。これにより、小断片３が不織布１内部で移動することが可能となる。
【００２９】
小断片３は、伸縮性不織布材料に固定され続けるということはなく、不織布の繊維の内側で移動可能である。換言すれば、非伸縮性要素と伸縮性不織布の間の摩擦により、切断された後、小断片３が不織布中で自由に動くことが可能となる。
【００３０】
非伸縮性要素２の連続性が、例えば糸または長繊維の破壊または切断によって除去された後、非伸縮性要素の切断された小断片は接続されておらず、不織布を保持することもない。この小断片３は、伸縮性不織布１の内部で、様々な位置で「浮遊している」ため、伸縮性不織布は抑制されない。不織布が引き伸ばされたときに、各々の断片間の隙間または距離が広くなる。
【００３１】
本願の装置は、２つのセクションまたはデバイスを含む。第１のデバイスは、伸縮性不織布の製造中に、または伸縮性不織布の製造の後に、伸縮性不織布に対して、糸、長繊維、メッシュ、または他の適切な非伸縮性要素などの形で、非伸縮性要素２を形成するか、または関連付ける。第２のデバイスは、変換用装置上に搭載されて、不織布の非伸縮性の除去を実行する。
【００３２】
本装置の第１のデバイスは、伸縮性不織布のシートまたはロールを作製する装置と関連付けられる。
【００３３】
本装置の第２のデバイスは、変換用装置と関連付けられており、変換用装置における加工または分配の間に、（糸、長繊維、またはメッシュなどの）非伸縮性構成材の連続性を破壊することにより、先に付加された非伸縮特性を除去するステップを実行する。非伸縮性構成材の連続性の破壊は、任意の適切なピッチでそれらを切断することにより、変換用装置上で実施されることが可能である。このピッチは、数ミリメートル以下から数センチメートル以上の範囲で変化しうる。切断は、穿孔機、ウォータージェット、電磁放射、化学反応、もしくは融解などの任意の手段またはデバイスを用いて、または当業界で公知の任意の他の適切な手段によって実施されうるが、これらに限定されることはない。
【図１】
2014524988.tif 000003
【図２】
2014524988.tif 000004
【図３】
2014524988.tif 000005
【国際調査報告】
2014524988.tif 000006
2014524988.tif 000007
2014524988.tif 000008